(57)【要約】【課題】  本発明の目的は、中断されたプリント処理の再開時に、写真プリントを重複させることなく正確にプリント処理が行え、また、一オーダー内で分割されて集積された写真プリントの照合を簡単に行える写真処理装置を提供することにある。【解決手段】  本発明は、画像データを取得する画像入力部と、取得した画像データに基づいて写真プリントを作成するプリント手段１０５と、作成された写真プリントをオーダー単位に集積可能な集積手段１０７とを備える写真処理装置であって、オーダー単位の写真プリントが分割されて集積手段に集積される場合に、分割されて続きの写真プリントが存在することを示す残存情報をプリントするように制御する制御手段１０３ｅを有することを特徴とする写真処理装置である。【選択図】図１
2007071961.tif 000002
【特許請求の範囲】
【請求項１】
画像データを取得する画像入力部と、前記取得した画像データに基づいて、写真プリントを作成するプリント手段と、作成された写真プリントをオーダー単位に集積可能な集積手段とを備える写真処理装置であって、
オーダー単位の写真プリントが分割されて前記集積手段に集積される場合に、分割されて続きの写真プリントが存在することを示す残存情報をプリントするように制御する制御手段を有することを特徴とする写真処理装置。
【請求項２】
前記制御手段は、
オーダー内の総プリント枚数とプリント処理されたプリント枚数から未プリント枚数を算出し、当該算出された未プリント枚数をプリントするように制御することを特徴とする請求項１に記載の写真処理装置。
【請求項３】
前記制御手段は、
プリント処理されたプリント枚数及び総プリント枚数をプリントするように制御することを特徴とする請求項１又は請求項２に記載の写真処理装置。
【請求項４】
前記制御手段は、
分割された区切り目の写真プリントの裏面に、前記残存情報若しくはプリント枚数に関する情報をプリントするように制御することを特徴とする請求項１から請求項３のいずれか１項に記載の写真処理装置。
【発明の詳細な説明】
【技術分野】
【０００１】
本発明は、画像データを取得する画像入力部と、取得した画像データに基づいて、写真プリントを作成するプリント手段と、作成された写真プリントをオーダー単位に集積可能な集積手段とを備える写真処理装置に関するものである。
【背景技術】
【０００２】
近年、いわゆるミニラボ店において、デジタルカメラ等で撮影された被写体のデジタル画像データに基づく写真プリントの注文が増加傾向にある。かかる注文の態様として、注文者が、デジタル画像データを各種メディアに記録してミニラボ店に持ち込む。ミニラボ店内に受付端末機が設置され、注文者は直接この端末機を操作し、デジタル画像データ及び注文に関する情報、例えば、プリントサイズ、プリント枚数等の情報（以下、「オーダー情報」という）を入力する。このデジタル画像データ及びオーダー情報は、受付端末機から写真処理装置に送信され、これらデータに基づいて、写真処理装置によって、オーダー単位に写真プリントが作成され、オーダー単位に集積されるものであった。
【０００３】
上記の写真処理装置において、プリント処理中に、別の急ぎのプリント注文があった場合に、その処理中のプリント処理を中断させることがある。かかる場合において、写真処理装置のオペレータが、中断指示を装置に行い、これにより、そのプリント処理が中断される。そして、急ぎのプリント注文に対するプリント処理が行われ、その写真プリントは、直前のプリント処理で作成された写真プリントとは別の集積トレイに集積される。そして、次に、中断されたプリント処理を再開する場合には、中断されたコマ画像からプリント処理が行われ、それによって作成された写真プリントは、さらに別の集積トレイに集積される。すなわち、プリント処理が中断された場合に、一のオーダー内の写真プリントは、異なるオーダーの写真プリントをその間におくように、分割されて異なる集積トレイに集積されることになる。
【０００４】
また、このような注文態様においては、メディアに大容量のデータを格納できるという利点から、オーダー当たりのプリント枚数が多い傾向にある（オーダー当り、例えば１５０枚）。集積トレイのサイズや、集積トレイの間隔、或いは、集積コンベアと排出口の位置的制約によって、例えば、集積トレイに５０枚まで集積できるタイプの写真処理装置の場合において、総プリント枚数が１５０枚のオーダーでは、５０枚毎に分割されて別々に集積するように構成されていた（例えば、異なる集積トレイに分割して集積していた）。
【０００５】
ところで、プリント処理が、例えば、印画紙の紙詰まりエラーで中断された後にオペレータが速やかに作業を再開することができるように、複数の画像のなかのどの画像までが露光処理されたかを表示手段に表示する構成とした写真処理装置が公知である（特許文献１参照）。
【０００６】
さらに、急ぎのプリント注文を処理した場合において、その急ぎのオーダーの写真プリントが集積されたトレイを簡単に識別するために、以下の構成の写真処理装置が公知である。すなわち、急ぎのプリント依頼などの特定オーダー分の出来上がったプリントを他のオーダーの出来上がったプリント中から簡単に識別することが出来るように、特定オーダーのプリントが収容される受け皿（集積トレイに相当する）に対応したランプを点灯させ、又は、その受け皿に対応した識別番号を表示部に表示させるように構成されている（特許文献２参照）。
【０００７】
【特許文献１】特開２００５−０７３１３６号公報
【特許文献２】特開２００３−３３０１５７号公報
【発明の開示】
【発明が解決しようとする課題】
【０００８】
特許文献１の写真処理装置は、中断されたオーダーを再度処理したい場合に、複数の画像のなかのどの画像までが露光処理されたかを表示手段に表示することができる構成であるが、表示手段に表示した内容を印刷するか、または手書きでその内容をメモにとり、それを見ながら、中断したオーダーから次の画像を選択する必要があり、印刷やメモを取る等の手間が必要であった。
【０００９】
また、上記の写真処理装置は、プリント処理が中断／再開された場合に、一オーダーの写真プリントが、分割されて異なる集積トレイに集積されるため、分割された写真プリントを照合する必要がある。
【００１０】
特許文献２の写真処理装置は、受け皿（集積トレイに相当する）に対応したランプを点灯させ、又は、その受け皿に対応した識別番号を表示部に表示させることで、特定オーダーの写真プリントの照合を簡単にしている。この構成手段を、分割された写真プリントを集積する集積トレイに対応するランプを点滅するように応用できるが、ランプ等の構成を必要とし、装置全体のコストアップとなる。また、受け皿の識別番号をディスプレイ等の表示部に表示しても、その表示を見間違える場合もある。
【００１１】
本発明は上記実情に鑑みてなされたものであり、その目的は、中断されたプリント処理の再開時に、同じ写真プリントを重複して作成させることなく正確にプリント処理が行え、また、一オーダー内で分割されて集積された写真プリントの照合を簡単に行え、且つ、装置全体のコストパフォーマンスや写真処理効率を低下させないように構成した写真処理装置を提供することにある。
【課題を解決するための手段】
【００１２】
上記の課題を解決するために、本発明の写真処理装置は、画像データを取得する画像入力部と、取得した画像データに基づいて写真プリントを作成するプリント手段と、作成された写真プリントをオーダー単位に集積可能な集積手段とを備える写真処理装置であって、
オーダー単位の写真プリントが分割されて集積手段に集積される場合に、分割されて続きの写真プリントが存在することを示す残存情報をプリントするように制御する制御手段を有することを特徴とする。
【００１３】
本発明の作用効果は以下の通りである。すなわち、画像データ及びそのオーダー情報を外部装置（例えば、受付端末３０、サーバ装置６０、ＰＣ端末５０、記録装置４０等）から取得する。取得された画像データは各種補正処理が施され、プリント手段に送られる。プリント手段は、感光材料の表面に写真プリントを形成するように露光処理を行う。そして、現像処理・乾燥処理の後、集積手段に搬送されてオーダー単位に集積される。ここで、オーダーとは、注文者が写真プリントを注文する場合の注文単位であり、例えば、１オーダーとは、通常、記録メディア１個、フィルム１本をいうが、特にこれに限定されない。
【００１４】
そして、プリント処理中に、急ぎのオーダーが入った場合に、そのプリント処理を中断する。かかる場合に、分割されて続きの写真プリントが存在することを示す残存情報がプリントされる。そして、急ぎのオーダーのプリント処理終了後に、中断したプリント処理を再開する場合に、中断された写真プリントと、急ぎの写真プリントと、再開されたプリントは、各々異なる集積場所に集積される。
【００１５】
また、総プリント枚数が例えば１５０枚の場合で、集積手段の集積可能枚数が５０枚であれば、３つに分割されて集積される。かかる場合に、分割されて続きの写真プリントが存在することを示す残存情報がプリントされる。
【００１６】
従って、オペレータは、残存情報を確認することで、一オーダー内で分割されて集積されたことや、その分割された写真プリントの照合を簡単に行える。
【００１７】
また、フィルムから画像を読み取る場合も上記と同様である。
【００１８】
また、本発明の写真処理装置の好適な実施態様として、制御手段は、オーダー内の総プリント枚数とプリント処理されたプリント枚数から未プリント枚数を算出し、当該算出された未プリント枚数をプリントするように制御する。
【００１９】
この構成によれば、一オーダー内で写真プリントが分割されて集積される場合において、オーダー内の総プリント枚数とプリント処理されたプリント枚数から未プリント枚数を算出し、未プリント枚数がプリントされる。
【００２０】
また、本発明の写真処理装置の好適な実施態様として、制御手段は、プリント処理されたプリント枚数及び総プリント枚数をプリントするように制御する。
【００２１】
この構成によれば、一オーダー内で写真プリントが分割されて集積される場合において、プリント処理されたプリント枚数及び総プリント枚数がプリントされる。
【００２２】
従って、残存情報、プリント枚数及び総プリント枚数、或いは未プリント枚数を簡単に確認できるので、再開時に、その内容を見て、未処理の画像データをプリント処理でき、既にプリント処理した画像データを重複してプリント処理することなく正確にプリント処理を行える。また、オペレータは、プリント枚数及び総プリント枚数又は未プリント枚数から、一オーダー内で分割されて集積された写真プリントの照合を簡単に行える。
【００２３】
また、本発明の写真処理装置の他の好適な実施態様として、制御手段は、分割された区切り目の写真プリントの裏面に、残存情報若しくはプリント枚数に関する情報をプリントするように制御する。「プリント枚数に関する情報」は、プリント処理されたプリント枚数、総プリント枚数、又は未プリント枚数の情報である。
【００２４】
この構成によれば、一オーダー内で写真プリントが分割されて集積される場合において、分割された区切り目の写真プリントの裏面に、残存情報若しくはプリント枚数に関する情報がプリントされる。
【００２５】
従って、分割された区切り目の写真プリントの裏面を確認するだけでよく、オペレータは簡単に、プリント処理の再開や、分割された写真プリントの照合を行える。さらに、かかる場合において、集積群の中で、区切り目の写真プリントが１番上に集積されるので確認が簡単である。
【発明を実施するための最良の形態】
【００２６】
以下に、本発明の実施の形態について、図面を用いて詳細に説明する。
【００２７】
（実施の形態１）
＜写真処理装置の構成＞
図１に写真処理装置１００及び写真処理装置１００を含む写真処理システムの外観の一例を示す。写真処理システムは、写真処理装置１００、受付端末３０、記録装置４０、ＰＣ端末５０を有して構成されている。図１に示すように写真処理システムはインターネットを介してサーバ装置６０、注文者のパソコン７０と接続されている。また、写真処理装置１００は、受付端末３０、記録装置４０、ＰＣ端末５０とローカルエリアネットワーク（ＬＡＮ）で接続されている。
【００２８】
図２を用いて写真処理装置１００の機能を説明する。写真処理装置１００は、例えば、フィルムスキャン処理、ジャッジ処理、画像処理、露光処理、現像処理、乾燥処理、集積処理等の機能を有し、画像データとオーダー情報に基づく写真プリントを作成する機能を有する。画像入力部は、取得手段１０１、読取手段１０２を有する構成である。
【００２９】
取得手段１０１は、画像データ及びオーダー情報を、受付端末３０、記録装置４０、ＰＣ端末５０又はサーバ装置６０から取得（又は受信）する。取得手段１０１は、公知の通信手段で実現されうる。
【００３０】
読取手段１０２は、例えば、ネガフィルムから画像を読み取る。読取手段１０２は、通常、フィルムスキャナー装置で実現できる。
【００３１】
情報処理手段１０３は、格納手段１０３ａ、ジャッジ手段１０３ｂ、表示手段１０３ｃ、入力手段１０３ｄ、制御手段１０３ｅ、図示しない、メモリ、ＣＰＵ、バス等のその他の要素を有して構成されている。
【００３２】
格納手段１０３ａは、取得手段１０１又は読取手段１０２から送信される画像データやオーダー情報を格納する。格納手段１０３ａは、ハードディスク、ＳＤＲＡＭ等の記憶装置で実現される。
【００３３】
ジャッジ手段１０３ｂは、画像データに対する画像補正の設定、プリントサイズ、プリント枚数等の設定（以下、「ジャッジ処理」という。）を行い、プリント開始、プリント中断・再開等の指示を行える機能を有する。具体的に、「ジャッジ処理」は、画像データに対する色、濃度、シャープネス等の各種補正、プリント枚数設定、プリントサイズ設定等を行う処理である。なお、色・濃度補正等を目的とするジャッジ処理は、必ず行われるものではなく、読み取った又は取得した画像データをそのままプリント手段１０５に送信し写真プリントを作成することもできる。
【００３４】
表示手段１０３ｃは、例えば、タッチパネル、液晶ディスプレイ、ＣＲＴモニター等で実現され、ジャッジ処理の際に画像を表示させ、また、写真処理装置１００の操作画面を表示させる機能を有する。
【００３５】
入力手段１０３ｄは、例えば、タッチパネル、キーボード、マウス等で実現され、ジャッジ処理や写真処理装置１００の操作の際に、オペレータからの指示を受け付けられるように機能する。
【００３６】
制御手段１０３ｅは、オーダー単位の写真プリントが分割されて後述する集積手段１０７に集積される場合に、分割されて続きの写真プリントが存在することを示す残存情報をプリントするように制御する。残存情報は、例えば、絵、図、英数字等なんでも良く、適宜設定できる。
【００３７】
また、制御手段１０３ｅは、オーダー内の総プリント枚数とプリント処理されたプリント枚数から未プリント枚数を算出し、総プリント枚数及び当該算出された未プリント枚数をプリントするように制御する。
【００３８】
また、制御手段１０３ｅは、分割された区切り目の写真プリントの裏面（又は表面）に、残存情報、プリント枚数に関する情報をプリントするように制御する。「分割された区切り目の写真プリント」は、集積される写真プリント群の１番上に位置する写真プリント、中断処理において露光処理される最後のプリントである。例えば、プリント処理の中断指示を出した時に最後にプリントサイズにカットされた感光材料の写真プリント、プリント処理が中断された時に露光処理が完了している最後の写真プリント、又は、プリント処理が中断された時に既にジャッジ処理がなされプリント開始が指示された最後の画像データの写真プリント等であり、適宜設定可能である。
【００３９】
また、制御手段１０３ｅは、残存情報、プリント処理されたプリント枚数、総プリント枚数、未プリント枚数を後述するプリント手段１０５によって、プリントするように制御する。
【００４０】
制御手段１０３ｅは、ソフトウエアで構成され、ＣＰＵやメモリ等のハードウエア資源と協働して動作可能に構成されている。また、制御手段１０３ｅは、ファームウエアや専用回路として構成してもよい。
【００４１】
画像処理手段１０４は、画像データ及びジャッジ処理により設定した補正データ等に基づいて、画像処理を行い、露光用画像データを作成する。感光材料の表面に残存情報、プリント枚数に関する情報（プリント枚数、総プリント枚数、未プリント枚数）をプリントする場合には、画像処理手段１０４は、それらのデータを含めて露光用画像データを作成することもできる。ただし、本実施形態においては裏に印字する。画像処理手段１０４は、図示しない入力側・出力側メモリ、ファームウエアで構成される画像処理部等で実現される。なお、画像処理手段１０４の機能を情報処理手段１０３で行うように構成してもよい。
【００４２】
プリント手段１０５は、露光手段１０５ａ及び裏プリント手段１０５ｂを有する構成である。露光手段１０５ａは、プリントサイズにカットされた感光材料を、露光用画像データを用いて露光処理を行う。露光処理された感光材料は、現像処理手段、乾燥処理手段に搬送され、現像処理、乾燥処理が施される。露光手段１０５ａは、公知の露光エンジン（レーザー、ＣＲＴ、ＰＬＺＴ）等で実現される。
【００４３】
裏プリント手段１０５ｂは、感光材料の裏面に残存情報、プリント枚数に関する情報をプリントする機能を有する。また、裏プリント手段１０５ｂは、補正データ等もプリント可能に構成される。裏プリント手段１０５ｂは、例えば、ドットインパクトプリンタ、熱転写式プリンタ、インクジェットプリンタ等で実現される。
【００４４】
集積手段１０７は、ベルトコンベア式集積装置、或いは、複数の集積トレイで構成されるトレイ式集積装置で構成される。集積手段１０７の駆動は、制御手段１０３ｅによって制御される。図２に示すトレイ式集積装置は、複数の集積トレイと、その集積トレイを循環駆動する駆動手段等で構成され、オーダーが切り換わるタイミングで駆動手段が駆動され、集積トレイを所定距離だけ移動させる。排出口から排出された写真プリントは、横送りコンベアに送られ、横送りコンベアから、集積トレイに搬送され、１個の集積トレイに、オーダー分又は最大集積枚数分だけ集積される。
【００４５】
受付端末３０は、記録メディアから画像データを読み出す画像データ取得手段、注文者から直接入力されるオーダー情報を受け付けるオーダー情報受付手段を有する。
【００４６】
記録装置４０は、写真処理装置１００とＬＡＮを介して接続され、デジタル画像データ又はデジタル画像データ及びそのオーダー情報を各種記録メディアに記録する機能、記録メディアから画像データ等を読み出す機能を有する装置である。
【００４７】
ＰＣ端末５０は、主に、インターネット受信端末として機能し、サーバ装置６０からデジタル画像データ及びそのオーダー情報を受信し、適宜、画像データに対する補正処理（色、濃度等）が可能に構成されている。
【００４８】
サーバ装置６０は、オンラインで写真プリント注文する場合に用いられるサーバ装置である。注文者のパソコン７０からデジタル画像データ及びそのオーダー情報を受信し、適宜そのデータをＰＣ端末５０若しくは直接写真処理装置１００に送信可能に構成されている。
【００４９】
なお、「オーダー情報」は、デジタルの画像データに対する処理の注文に関する情報である。例えば、写真プリント注文に関するオーダー情報は、例えば、注文者氏名、注文ＩＤ、ファイル名、プリントサイズ、総プリント枚数等で構成される。
【００５０】
＜フローチャート＞
図３を用いて、プリント処理を中断・再開する場合の写真処理装置の動作の一例を説明する。すべてのプリント処理において、プリント処理されたプリント枚数、総プリント枚数及び未プリント枚数はプリントされるものとして説明する。任意のオーダーのプリント処理が行われている状態で、急ぎのオーダーが受注されたとする。かかる場合、オペレータは、中断指示を行う（Ｓ１０）。例えば、中断キーを入力することで、ジャッジ画面上に中断するか否かの確認画面が表示され、プリント処理中断を選択する。
【００５１】
そして、中断指示された時に既にジャッジ処理が完了しプリント開始指示済みの画像データに対しては、そのままプリント処理が続行される。最後の画像データをプリント処理する際に、裏面に残存情報がプリントされる（Ｓ２０）。そして、急ぎのオーダーの割り込みプリント処理を行う。異なるオーダーのため、集積トレイは自動的に切り換わり、割り込みオーダーと中断されたオーダーの写真プリントは異なるトレイに集積される。（Ｓ３０）。
【００５２】
割り込みオーダーが終了すると、オペレータは、中断されたオーダーの再開指示を行う（Ｓ４０）。例えば、オーダー画面上で、中断されたオーダーを選択し、中断されたオーダーの最後の写真プリントの裏面にプリントされたプリント枚数、総プリント枚数及び未プリント枚数を確認し、次の画像データを選択することで、ジャッジ処理が可能になる。
【００５３】
そして、集積トレイが切り換わり、中断された画像データに対するジャッジ処理、プリント処理が行われる（Ｓ５０）。
【００５４】
なお、上記の中断・再開処理において、画像データ及びオーダー情報が格納手段１０３ａに格納されていない場合は、画像データ及びオーダー情報を外部装置から再度取得するか、または、ネガフィルムから画像データを再度読み取る必要がある。  
【００５５】
図４を用いて、総プリント枚数が多いために集積領域を切り換え、分割して集積する場合の写真処理装置の動作の一例を説明する。受付端末３０から画像データ及びオーダー情報を受け取る。このオーダー情報には、総プリント枚数「６０枚」のデータが含まれている。写真処理装置１００の集積手段１０７は、トレイ式の集積装置であり、１つの集積トレイには、写真プリントを５０枚まで集積できる。
【００５６】
新しいオーダーを処理する場合に、ジャッジ処理において１コマ目から６コマ目までの６コマ分の画像を表示し（図５参照）、画像毎に適宜補正データを設定し、プリント開始を指示する。そして、６コマ分の画像データ及び対応する補正データが画像処理され、プリント処理される。このプリント処理においては、写真プリントの裏面に、プリント枚数、総プリント枚数及び未プリント枚数がプリントされる（Ｓ１）。そして、プリント処理された写真プリントは、集積トレイに集積される（Ｓ６）。
【００５７】
そして、オーダー内の画像データの全てについてジャッジ処理、プリント開始指示を順次繰り返す。そして、５０枚目の画像データのプリント処理の場合に、プリント裏面に残存情報がプリントされる（Ｓ２、Ｓ３）。５１枚目の写真プリントが集積トレイに集積される際に、集積トレイが切り換わる（Ｓ４、Ｓ５）。オーダー内の画像データの全てについて写真プリント作成が終了するまで、上記処理が繰り返される（Ｓ７）。
【００５８】
なお、５０枚目以外の画像データのプリント処理においても裏面に残存情報をプリントするようにも構成できる。また、Ｓ２において、５０枚目のプリント処理か否かを判断するように説明したが、５０の整数倍の１００、１５０、２００・・の枚数についても判断するように構成される。また、Ｓ４において、５１枚目の集積処理か否かを判断するように説明したが、５０の整数倍に１加算した１０１、１５１、２０１・・の数についても判断するように構成される。なお、「５０」の値は、トレイの最大集積枚数によって異なる値となることはいうまでもない。
【００５９】
また、複数のネガフィルムから画像データを読み出してプリント処理する場合、予め総プリント枚数が分からなくとも、ジャッジ処理する過程で、総プリント枚数が５０枚を超える場合もある。かかる場合においても、５０枚目の画像データのプリント処理において、裏面に残存情報がプリントされる。そして、５１枚目の写真プリントが集積トレイに集積される際に、集積トレイが切り換わるように構成される。
【００６０】
（写真処理装置の具体的動作）
以下に、写真処理装置１００の具体的実施形態について説明する。受付端末３０で注文処理が行われる場合について説明する。
【００６１】
注文者は、受付端末３０にメディアを挿入し、画像データを読み出し、プリントサイズ、各画像のプリント枚数等を設定する。各画像のプリント枚数から総プリント枚数（「６０枚」）が算出される。なお、写真処理装置側で、総プリント枚数を算出することもできる。プリントサイズ、各画像のプリント枚数、総プリント枚数はオーダーＩＤと共にオーダー情報を構成する。オーダーＩＤは、受付端末３０の制御手段によって設定される。画像データとオーダー情報は、受付端末３０から写真処理装置１００に送信される。
【００６２】
送信された画像データとオーダー情報は、取得手段１０１で受信されて、格納手段１０３ａに格納される。格納手段１０３ａには、複数のオーダーが蓄積可能であり、記録装置４０、ＰＣ端末５０、サーバ装置６０から送信された画像データ及びオーダー情報をオーダー単位で蓄積している。
【００６３】
オペレータは、格納手段１０３ａに蓄積されたオーダーを選択し、ジャッジ処理を行う。図５は、ジャッジ処理の画面の一例である。図５に示すように、画面には、６コマ分の画像が表示され、適宜補正値を設定可能である。例えば、色、濃度が適正な写真プリントが仕上げるように、Ｙ、Ｍ、Ｃの補正値、濃度補正値を入力する。画面下部の総プリント枚数フィールド５１に総プリント枚数「６０」枚が表示される。６コマ分の画像のジャッジ処理が完了したら、プリント開始５２を指示する（例えば、入力手段１０３ｄのマウスで指示する）。
【００６４】
６コマ分の画像データ及び補正データに基づいて画像処理され露光用画像データが作成される。そして、感光材料がプリントサイズにカットされて、露光手段１０５ａの露光処理部（不図示）に搬送され、露光用画像データに基づいて露光処理される。そして、インクジェットプリンタ（裏プリント手段１０５ｂに相当する）は、感光材料の裏面に、オーダーＩＤ、プリント処理されたプリント枚数（プリント処理済みの累積枚数）、総プリント枚数及び未プリント枚数をプリントする。図６（ａ）に、プリントされたオーダーＩＤ６１、プリント枚数／総プリント枚数６２及び未プリント枚数６３を示す。なお、未プリント枚数は、制御手段１０３ｅによって、総プリント枚数からプリント枚数を減算して得られる。
【００６５】
感光材料が搬送され、集積トレイに集積される。集積手段１０７は、オーダー単位に集積トレイを切り換える機能を有しており、新しいオーダーの一枚目の写真プリントが集積される際に、集積トレイを切り換えるように、制御手段１０３ｅによって制御されている。図７に集積トレイの模式図を示す。図７（ａ）に示すように、第１トレイ７１に写真プリントが集積されているのが分かる。
【００６６】
（中断・再開の処理の場合）
上記のプリント処理が完了しない内に、急ぎのオーダー（割り込みオーダー）が入った場合に、オペレータは、キーボードの中断キーを押下する。そうすると、ジャッジ処理画面上に、中断確認画面がポップアップ表示され、ここでオペレータがプリント処理中断を選択する。これにより、プリント処理が中断されるが、既にジャッジ処理がなされプリント開始指示した画像データについては、そのままプリント処理が行われるようにする。即ち、ジャッジ処理してプリント開始指示をした画像が露光処理待ちの状態にあれば、そのまま露光処理をすることで、ジャッジ処理が無駄にならない。
【００６７】
そして、中断されて、最後尾の写真プリントとなる感光材料の裏面には、残存情報（！！！：びっくりマーク。中断を意味する。）がインクジェットプリンタによってプリントされる。図８に示すように、感光材料の裏面に、オーダーＩＤ８１、残存情報８２、プリント枚数／総プリント枚数８３、未プリント枚数８４がプリントされていることが分かる。
【００６８】
そして割り込みオーダーのプリント処理が終了し、中断されたオーダーのプリント処理を再開する場合に、オペレータは、操作画面上で中断されたオーダーを選択する。そして、オペレータは、中断された写真プリントの裏面を確認して、総プリント枚数や未プリント枚数の値から、未処理の画像を選択しジャッジ処理画面に表示させる。これにより、未処理の画像データを正確に判別できるので、画像データを重複してプリント処理するような操作間違いを無くすことができる。
【００６９】
再開されたオーダーの写真プリントは、さらに別の集積トレイに集積されるが、オペレータは、裏面にプリントされた残存情報、プリント枚数／総プリント枚数、未プリント枚数を確認できるので、同一オーダーの照合を簡単に行える。図７（ｂ）に示すように、第１トレイ７１に中断されたオーダーの写真プリントが、第２トレイ７２に割り込みオーダーの写真プリントが、第３トレイ７３に、再開されたオーダーの写真プリントが、各々集積されることが分かる。
【００７０】
（総プリント枚数が集積手段の集積数を超える場合の処理）  集積トレイの最大集積可能数が５０である場合、５０枚目の画像データのプリント処理において、裏面に残存情報がプリントされる。例えば、図６（ｂ）に示すように、残存情報６４（↑↑↑：上矢印。上の集積トレイに残りの写真プリントが存在することを意味する。）がプリントされる。なお、５０枚目以外の画像データのプリント処理においても裏面に残存情報をプリントするようにも構成でき、例えば、５１枚目や、最後の写真プリント（ここでは、６０枚目）に残存情報をプリントすることで、照合作業をより簡単にできる。
【００７１】
そして、５１枚目の写真プリントが集積トレイに集積される際に、集積トレイが切り換わる。図７（ｃ）に示すように、第１トレイ７１が下部に移行し、第２トレイ７２に５１枚目以降の写真プリントが集積される。
【００７２】
以上の実施形態によれば、オペレータは、５０枚目の写真プリントの裏面にプリントされた残存情報を確認することで、次の集積トレイに同一オーダーの写真プリントが集積されていることが簡単に判別できる。
【００７３】
（別実施形態）
以上の説明において、集積手段１０７は、集積トレイ式の集積装置であったが、集積手段１０７は、コンベア式集積装置でもよく、かかる場合、コンベアが移動することで、オーダー内で分割された写真プリントを集積できる（図９参照）。
【００７４】
また、本実施の形態において、画像データ及びオーダー情報を外部装置から取得する場合について説明したが、ネガフィルムから画像を読み取る場合についても適用される。
【００７５】
また、プリント枚数、総プリント枚数及び未プリント枚数が全ての写真プリントの裏面にプリントされるように構成したが、特にこれに限定されず、分割される切れ目の写真プリントにプリントするように構成してもよい。
【００７６】
また、残存情報、プリント枚数、総プリント枚数及び未プリント枚数を裏面にプリントするように構成したが、特にこれに限定されず、表面にプリントしてもよい。
【００７７】
また、中断・再開の処理は、上記の説明の急ぎのオーダーの場合に限定されず、写真処理装置１００のメンテナンス、トラブル（例えば、感光材料（ペーパー）の搬送のトラブル）、感光材料（ペーパー）交換、現像液交換等の場合でも同様に中断・再開処理が行われ、オーダー内の写真プリントが分割されて集積される場合に、区切り目の写真プリントの裏面（又は表面）に残存情報、プリント枚数に関する情報をプリントするように構成できる。
【００７８】
また、写真プリントの表面に画像をプリントする場合に、露光手段１０５ａを用いてプリント処理するように構成したが、特にこれに限定されず、例えば、レーザープリンタ、インクジェットプリンタ、熱転写式プリンタ等で、表面に画像をプリントするように構成してもよい。
【図面の簡単な説明】
【００７９】
【図１】実施の形態における写真処理装置及び写真処理システムの外観を示す図
【図２】実施の形態における写真処理装置の構成を示すブロック図
【図３】実施の形態における写真処理装置の動作例を説明するフローチャート
【図４】実施の形態における写真処理装置の動作例を説明するフローチャート
【図５】実施の形態におけるジャッジ画面の例を示す図
【図６】実施の形態における残存情報、総プリント枚数及び未プリント枚数の例を示す図
【図７】実施の形態における集積トレイの模式図
【図８】実施の形態における実施の形態における残存情報、総プリント枚数及び未プリント枚数の例を示す図
【図９】実施の形態におけるコンベア式集積装置の模式図
【符号の説明】
【００８０】
１００      写真処理装置
１０１      取得手段
１０２      読取手段
１０３      情報処理手段
１０３ａ    格納手段
１０３ｂ    ジャッジ手段
１０３ｃ    表示手段
１０３ｄ    入力手段
１０３ｅ    制御手段
１０４      画像処理手段
１０５      プリント手段
１０５ａ    露光手段
１０５ｂ    裏プリント手段
１０７      集積手段
【図１】
2007071961.tif 000003
【図２】
2007071961.tif 000004
【図３】
2007071961.tif 000005
【図４】
2007071961.tif 000006
【図５】
2007071961.tif 000007
【図６】
2007071961.tif 000008
【図７】
2007071961.tif 000009
【図８】
2007071961.tif 000010
【図９】
2007071961.tif 000011